(57)【特許請求の範囲】
【請求項１】
トップシートと吸収層とバックシートとからなり、実質的に縦長に形成された吸収性物品において、
上記吸収性物品には、その長手方向両側部に、長手方向側縁から内方に向けて円弧状の折曲部が設けられており、
上記トップシートは、上記吸収層の裏面側における上記折曲部の内方まで配されており、上記バックシートは、上記吸収層の裏面側に配された上記トップシートにおける上記折曲部より内方においてのみ固定されており、該バックシートにおける該トップシートに固定されていない部分で、フラップを形成していることを特徴とする吸収性物品。
【請求項２】
上記フラップの側縁より延設されたウイングが形成されていることを特徴とする請求項１記載の吸収性物品。
【請求項３】
上記吸収性物品は、その装着時において、上記折曲部の外側に位置する防漏壁形成領域が該折曲部において上方に折曲されて防漏壁を形成し且つ該吸収性物品の前方部及び後方部が上方に向けて起立するようになされていることを特徴とする請求項１又は２記載の吸収性物品。
【請求項４】
上記折曲部は、圧縮プレスにより形成されていることを特徴とする請求項１〜３の何れかに記載の吸収性物品。
【請求項５】
上記折曲部には、吸収層が設けられていないことを特徴とする請求項１〜３の何れかに記載の吸収性物品。
【請求項６】
トップシートと吸収層とバックシートとからなり、実質的に縦長に形成された吸収性物品において、
上記吸収性物品には、その長手方向両側部に、長手方向側縁から内方に向けて円弧状の折曲部がその円弧の始点及び終点を該長手方向側縁に位置させて設けられており、
上記折曲部は、上記吸収性物品の上記吸収層を、長手方向中央が括れた形状の中央吸収体領域と、左右一対の防漏壁形成領域とに区分しており、該中央吸収体領域の裏面側において、ズレ止め部が形成されていることを特徴とする吸収性物品。
【請求項７】
上記バックシートの裏面側に更に第２のバックシートが設けられており、該第２のバックシートに上記ズレ止め部が設けられていることを特徴とする請求項６記載の吸収性物品。
【請求項８】
上記折曲部が、上記トップシート側及び上記バックシート側の両面側
から圧縮プレスされて形成されていることを特徴とする請求項６又は７記載の吸収性物品。
【請求項９】
上記折曲部が、上記バックシート側から圧縮プレスされて形成されていることを特徴とする請求項６又は７記載の吸収性物品。
【発明の詳細な説明】
【０００１】
【産業上の利用分野】
本発明は、生理用ナプキンや失禁パッド等の吸収性物品に関し、更に詳細には、漏れ防止性に優れた吸収性物品に関する。
【０００２】
【従来の技術及び発明が解決しようとする課題】
生理用ナプキンなどの吸収性物品においては、その要求性能として特に液モレを起こさないことが要求されており、従来より種々の提案がなされている。
該提案を大別すると、▲１▼身体とのフィット性、密着性を向上させることにより、液モレ防止効果を向上させるべく、装着形状に沿って立体成形してなる吸収性物品、▲２▼エンボス加工等を施して溝を形成し、液の拡散を該溝で防いだり、液の拡散を吸収性物品の長手方向に誘導することにより液の拡散を防止した吸収性物品、▲３▼吸収性物品の側縁部に防漏壁を形成し、液モレ防止を狙ったものであって、壁を起立させるために、該防漏壁に弾性体を配した吸収性物品、等が提案されており、特に上記▲３▼は多く提案されている。
【０００３】
しかし、上記の▲１▼〜▲３▼は、未だに要求されている性能を満足するものではなかった。
また、上記▲３▼の提案に関しては、防漏壁を起立させる手段として、装着時に加わる左右からの股間圧を利用したものが提案されている。
具体的には、特公昭６０−３４９１号公報では、吸収体上で外方に向けて折り返された防漏壁が股間圧により起立する吸収性物品が、また、実開昭６４−３９７１９号公報では、吸収体両側部に凹形状の切欠部を形成し、該切欠部に防漏材を配して防漏壁を形成し、更に、該切欠部に折曲案内プレスを施してなる吸収性物品が提案されており、上記特公昭６０−３４９１号公報で提案されている吸収性物品は、股間圧により吸収性物品の断面形状がＨ字状に変形するようになされた吸収性物品であり、上記実開昭６４−３９７１９号公報で提案されている吸収性物品は、股間圧により吸収性物品の断面形状がＵ（又はＶ）字状に変形するようになされた吸収性物品等である。
【０００４】
しかし、上述の各吸収性物品は、何れも、上記防漏壁が防漏シート等で形成されており、該防漏壁自身には吸収能力がないため、防漏壁に到達した液が、流れたり、拡散したりしやすく、これにより液漏れを生じ易いという問題があった。また、防漏壁がシート状でヨレやすいため、実際の装着時には、ヨレてしまい壁としての機能を果たせない場合があるという問題もあった。
即ち、従来の吸収性物品では、要求されている液漏れ防止性能を十分に満足するには至っていなかった。
【０００５】
従って、本発明の目的は、液漏れ防止性能に優れた吸収性物品を提供することにある。
【０００６】
【課題を解決するための手段】
本発明者等は、上記課題を解消するために鋭意検討した結果、長手方向両側部に、円弧状の折曲部を有する吸収性物品が上記目的を達成しうることを知見した。
【０００７】
本発明は、上記知見に基づいてなされたもので、トップシートと吸収層とバックシートとからなり、実質的に縦長に形成された吸収性物品において、上記吸収性物品には、その長手方向両側部に、長手方向側縁から内方に向けて円弧状の折曲部が設けられており、上記トップシートは、上記吸収層の裏面側における上記折曲部の内方まで配されており、上記バックシートは、上記吸収層の裏面側に配された上記トップシートにおける上記折曲部より内方においてのみ固定されており、該バックシートにおける該トップシートに固定されていない部分で、フラップを形成していることを特徴とする吸収性物品（以下、第１発明ともいう）を提供するものである。
また、本発明は、トップシートと吸収層とバックシートとからなり、実質的に縦長に形成された吸収性物品において、上記吸収性物品には、その長手方向両側部に、長手方向側縁から内方に向けて円弧状の折曲部がその円弧の始点及び終点を該長手方向側縁に位置させて設けられており、上記折曲部は、上記吸収性物品の上記吸収層を、長手方向中央が括れた形状の中央吸収体領域と、左右一対の防漏壁形成領域とに区分しており、該中央吸収体領域の裏面側において、ズレ止め部が形成されていることを特徴とする吸収性物品（以下、第２発明ともいう）を提供するものである。
【０００８】
【作用】
本発明の吸収性物品は、吸収性物品の長手方向両側部に円弧状の折曲部が形成されているので、吸収性物品の装着時に該折曲部よりも外方の部分が防漏壁を形成し、該防漏壁により、液漏れを良好に防止する。
【０００９】
【実施例】
以下、実施例により本発明を更に詳細に説明する。尚、第１〜第６の実施例が第２発明の実施例であり、第２及び第３の実施例が第１発明の実施例である。
図１は、本発明の第２発明の吸収性物品としての生理用ナプキンの第１の実施例を示す平面図であり、図２は、図１に示す生理用ナプキンのII−II断面図であり、図３は、図１に示す生理用ナプキンの使用状態を示す斜視図であり、図４は、図１に示す生理用ナプキンの使用状態を示す断面図である。
【００１０】
図１及び図２に示す本発明の第１の実施例の生理用ナプキン１は、トップシート２と吸収層４とバックシート３とからなり、実質的に縦長に形成されている。このような構成は、従来公知の吸収性物品と同じである。
また、上記トップシート２、上記吸収層４及び上記バックシート３は、それぞれ通常公知の材料を用いて、公知の生理用ナプキンと同様に形成されたものである。
【００１１】
而して、本実施例の上記生理用ナプキン１は、その長手方向両側部に、長手方向側縁から内方に向けて円弧状の折曲部１０が設けられている。
そして、上記吸収性物品は、その装着時において、図３及び図４に示すように、該折曲部１０の外側に位置する防漏壁形成領域４０が該折曲部１０において上方に折曲されて防漏壁４１を形成し且つ該吸収性物品１の前方部５及び後方部６が上方に向けて起立するようになされている。
【００１２】
更に詳細に説明すると、上記折曲部１０は、図１に示すように、トップシート２の表面側が裏面側に向けて圧縮されて形成されており、円弧の始点及び終点が生理用ナプキン１の側縁に位置するように設けられている。そして、上記折曲部１０は、生理用ナプキン１を、詳細には吸収層４を、長手方向中央が括れた形状の中央吸収体領域３０と、左右一対の櫛形の防漏壁形成領域４０とに区分している。
【００１３】
ここで、図１に示すように、上記折曲部１０により区分された上記防漏壁形成領域４０の長さＬは、３〜２５cmであるのが好ましく、上記折曲部１０より前方の部分の長さＭは、２〜１５cmであるのが好ましく、上記折曲部１０より後方の部分の長さＮは、２〜２０cmであるのが好ましい。
また、上記折曲部１０により区分された上記防漏壁形成領域４０の幅Ｓ（生理用ナプキンの幅方向に向けての最大値）は、０．５〜４cmであるのが好ましく、上記折曲部１０により区分された上記中央吸収体領域３０の幅（生理用ナプキンの幅方向に向けての最小値）Ｔは、２〜８cmであるのが好ましい。また、上記折曲部１０自体の幅は、０．１〜１cmであるのが好ましい。
【００１４】
また、図２に示すように、上記折曲部１０は、生理用ナプキンの表面側の上記トップシート２と吸収層４とを裏面側に向けて圧縮して、溝を形成することにより、設けられている。
また、上記バックシート３は、上記生理用ナプキン１の裏面側に設けられた粘着剤２０を介して上記裏面側のトップシート２に固着されている。これにより、上記防漏壁形成領域４０は、上記トップシート２と上記吸収層４と上記バックシート３により形成されている。
また、上記バックシート３の裏面側には、上記中央吸収体領域３０において、帯状のズレ止め部７が通常の粘着剤を塗布して形成されている。
【００１５】
また、本実施例の生理用ナプキン１は、その装着時において、図３及び図４に示すように、装着により生理用ナプキンにかかる矢印方向に向けての股間圧股間圧により上記防漏壁形成領域４０が上方に（上記トップシート２側に向けて）折れ曲がり、上記防漏壁形成領域４０の側縁が上方に起立して、防漏壁４１を形成する。
また、図４に示すように、上記折曲部１０は円弧状に形成されているので、上記防漏壁４１が形成されることにより、生理用ナプキンの前方部５及び後方部６が上方に向けて（矢印方向に）起立する。
即ち、本発明の吸収性物品は、上記折曲部１０が設けられて、その使用時において、上記防漏壁４１が形成され且つ上記前方部５及び後方部６が上方に起立するようになされているので、該吸収性物品の使用時には、全体の形状がカップ様の形状となる。
【００１６】
また、上記折曲部１０を形成する方法としては、圧縮プレス、ヒートシール、接着剤等が挙げられるが、上記折曲部１０は、圧縮プレスにより形成されているのが特に好ましい。
上記折曲部１０を形成する方法について更に具体的に説明すると、▲１▼通常の方法と同様に、バックシートと吸収層とトップシートとを積層した後、圧縮プレスして形成する方法、▲２▼吸収層を所定の形状（中央吸収体領域と防漏壁形成領域とに応じた形状）に切断した後、バックシートとトップシートとで積層して折曲部に相当する形状で吸収層のない部分を形成し、該吸収層の存在しない部分において上記バックシートとトップシートとをヒートシール、接着剤等により貼り合わせて形成する方法、又は▲３▼吸収層を所定の形状（中央吸収体領域と防漏壁形成領域とに応じた形状）に積繊して折曲部に相当する形状で吸収層のない部分を有する積層体を形成し、該吸収層の存在しない部分において上記バックシートとトップシートとをヒートシール、接着剤等により貼り合わせて形成する方法、▲４▼圧縮等することなく通常に積層されたものを円弧状にヒートシールするか又は積層時に接着剤を塗布することにより、溝を設けずに円弧状に剛性の高い線状部を形成する方法等により、上記折曲部１０を形成することができる。
【００１７】
尚、上記▲１▼及び▲４▼の方法によれば、吸収層を有する折曲部１０が形成され、上記▲２▼及び上記▲３▼の方法によれば、吸収層を有さない折曲部１０が形成される。本実施例においては、上記▲１▼の方法により形成されている。即ち、本実施例においては、上記折曲部に吸収層が設けられているものを例示して説明したが、本発明の吸収性物品は、上記の方法により得られる上記折曲部１０に吸収層４が設けられていないものとするのも好ましい。
【００１８】
そして、本実施例の生理用ナプキン１は、その使用時において、上述したように上記防漏壁４１が形成され且つ前方部５及び後方部６が上方に向けて起立されて、全体としてカップ様の形状となるので、フィット性に優れ、漏れ防止性に優れるものである。
また、図４に示すように、上記生理用ナプキン１の装着時には、矢印方向に向けての股間圧がかかり、この股間圧により上記防漏壁形成領域４０が上方に向けて起立するため、身体の動きにより股間圧が変化しても、それに合わせて防漏壁の起立具合も追従して、身体との間に隙間が開くことがない。
また、該防漏壁４１には、吸収層が設けられているので、該防漏壁４１自身に吸収能があり、体液が流れて、液漏れを生じることがない。また、該防漏壁４１は、単なるシート状ではなく、厚みを有するものであるため、装着中にヨレてしまうことがない。尚、図４において、６０はショーツを示す。
【００１９】
次に、図５〜図８を参照して本発明の第２の実施例について説明する。
ここで、図５は、本発明の第１発明及び第２発明の吸収性物品としての生理用ナプキンの第２の実施例を示す平面図であり、図６は、図５に示す生理用ナプキンのVI−VI断面図であり、図７は、図５に示す生理用ナプキンの使用状態を示す斜視図であり、図８は、図５に示す生理用ナプキンの使用状態を示す断面図である。
尚、特に詳述しない点については、上述した第１の実施例と同じである。
【００２０】
本実施例の生理用ナプキン１は、図５及び図６に示すように、生理用ナプキン１の左右両側縁における折曲部１０に対応した部位に設けられた左右一対のウイング５０を有している。該ウイング５０は、バックシート３を外方に向けて延長して形成されており、その裏面側にはずれ止め剤５１が粘着剤を塗布することにより形成されている。
また、上記バックシート３は、上記折曲部１０より内方においてのみ上記トップシート２に固定されており、これにより上記防漏壁形成領域４０の裏面側に上記バックシート３からなるフラップ４２が形成されている。そして上記ウイング５０は、該フラップ４２の側縁より延設されている。これ以外の構成は、上述した第１の実施例と同様である。
【００２１】
そして、該実施例の生理用ナプキンの使用時には、図７及び図８に示すように、上述した第１の実施例と同様に、吸収層を有し、吸収能を有する上記防漏壁形成領域４０が上方に向けて起立して、防漏壁４１を形成するので、液流れなどを起こすことなく、液漏れを良好に防止する。また、図７に示すように、生理用ナプキンの前方部５及び後方部６が上方に向けて（矢印方向に）起立するので、身体に対するフィット性が向上し、液漏れ防止効果が更に向上する。
【００２２】
また、本発明の吸収性物品は、図９〜図１２に示す第３〜第６の実施例の如き構造とすることもできる。
ここで、図９は、本発明の第３の実施例の要部を示す幅方向断面図（図２相当図）であり、図１０は、本発明の第４の実施例の要部を示す幅方向断面図（図２相当図）であり、図１１は、本発明の第５の実施例の要部を示す幅方向断面図（図２相当図）であり、図１２は、本発明の第６の実施例の要部を示す幅方向断面図（図２相当図）である。
尚、特に詳述しない点については、上述した第１の実施例における説明が適宜適用される。
【００２３】
図９に示す第３の実施例の生理用ナプキン１は、上記折曲部１０より内方において上記トップシート２に上記バックシート３を固定して形成された、フラップ４２を有する。即ち、上記バックシート３が、上記中央吸収体領域３０の裏面側に設けられた粘着剤２０を介して上記裏面側のトップシート２に固着されており、これにより、上記防漏壁形成領域４０の裏面側に、上記バックシート３からなるフラップ４２が形成されている。
【００２４】
図１０に示す第４の実施例の生理用ナプキン１は、上記バックシートの裏面側に更に第２のバックシート３’が設けられている。これにより、上記防漏壁形成領域４０の裏面側に、上記の第２のバックシート３’からなるフラップ４２が形成されている。第２のバックシート３’には、ズレ止め部７が設けられている。
【００２５】
図１１に示す第５の実施例の生理用ナプキン１は、上記折曲部１０が、トップシート２側及びバックシート３側の両面側から圧縮プレスされて形成されている。
【００２６】
図１２に示す第６の実施例の生理用ナプキン１は、上記折曲部１０が、バックシート３側から圧縮プレスされて形成されている。
【００２７】
第３〜第６の実施例においても、上述した第１の実施例と同様の効果が得られる。
【００２８】
尚、本発明は、上述した第１〜第６の実施例に制限されるものではなく、本発明の趣旨を逸脱しない範囲で種々変更が可能である。例えば、上述の実施例においては、何れも生理用ナプキンを例示して説明したが、本発明の吸収性物品としては、失禁パッド、使い捨ておむつ等も採用可能である。
【００２９】
【発明の効果】
本発明の吸収性物品は、液漏れ防止性能に優れたものである。
更に詳述すると、本発明の吸収性物品は、円弧状の上記折曲部を有しているので、該折曲部より外側に位置する部分が装着時の左右からの圧力により起立して防漏壁を形成する。そして、吸収性物品が立体的に変形して、全体の形状がコップに変形するので、より身体にフィットして、高い液漏れ防止性能を発揮するものである。
【００３０】
また、従来、市販されている吸収性物品としての生理用ナプキンの場合、その吸収体の幅は、一般的に７〜８ｃｍであるが、股間の幅は３〜４ｃｍであるため、装着されたナプキンは４ｃｍ程に圧縮されてヨレてしまう。また、このヨレをなくすために、ナプキン幅を４ｃｍにすると、装着位置が排泄ポイントからズレやすくなり、横方向での吸収量の減少につながり、液モレしやすくなる。
本発明の吸収性物品は、上記折曲部を有することにより、このようなヨレることによる液漏れの防止能力にも優れるものであり、具体的には、上記折曲部が、装着時の左右からの股間圧で上方に立ち上がるので、ヨレずに防漏壁を形成する。さらに、上記折曲部が円弧状であるので、三日月状の吸収性の防漏壁が形成され、この際生じるひずみにより、吸収体の前後が立ち上がり、全体が装着形状に沿った立体形状に変形し、フィット性が向上し、液モレ抑制に寄与する。
また、防漏壁は、吸収層を有するものであるため、液が到達しても吸収して、液流れを起こすこともない。
【図面の簡単な説明】
【図１】図１は、本発明の吸収性物品としての生理用ナプキンの第１の実施例を示す平面図である。
【図２】図２は、図１に示す生理用ナプキンのII−II断面図である。
【図３】図３は、図１に示す生理用ナプキンの使用状態を示す斜視図である。
【図４】図４は、図１に示す生理用ナプキンの使用状態を示す断面図である。
【図５】図５は、本発明の吸収性物品としての生理用ナプキンの第２の実施例を示す平面図である。
【図６】図６は、図５に示す生理用ナプキンのVI−VI断面図である。
【図７】図７は、図５に示す生理用ナプキンの使用状態を示す斜視図である。
【図８】図８は、図５に示す生理用ナプキンの使用状態を示す断面図である。
【図９】図９は、本発明の第３の実施例の要部を示す幅方向断面図（図２相当図）である。
【図１０】図１０は、本発明の第４の実施例の要部を示す幅方向断面図（図２相当図）である。
【図１１】図１１は、本発明の第５の実施例の要部を示す幅方向断面図（図２相当図）である。
【図１２】図１２は、本発明の第６の実施例の要部を示す幅方向断面図（図２相当図）である。
【符号の説明】
１  生理用ナプキン
２  トップシート
３  バックシート
４  吸収体
１０  折曲部
２０  粘着剤
３０  中央吸収体領域
４０  防漏壁形成領域
４１  防漏壁
５０  ウイング
【図１】
0003644723.tif 000002
【図２】
0003644723.tif 000003
【図３】
0003644723.tif 000004
【図４】
0003644723.tif 000005
【図５】
0003644723.tif 000006
【図６】
0003644723.tif 000007
【図７】
0003644723.tif 000008
【図８】
0003644723.tif 000009
【図９】
0003644723.tif 000010
【図１０】
0003644723.tif 000011
【図１１】
0003644723.tif 000012
【図１２】
0003644723.tif 000013